(57)【要約】【課題】自動販売機の商品搬出口に円滑に排出でき、ケース内部の商品のみを簡単に取り出すことが可能な商品収容ケースを提供する。【解決手段】ほぼ円筒形状を有し内部に商品を収容したケース本体２の一側の開口を閉塞蓋３により閉塞し、ケース本体２の他側の開口を開閉蓋４により開閉自在に閉塞する。そして、閉塞蓋３の内側に、ケース本体２に所定値（缶飲料と同程度）以上の重量をケース本体２に付与するために錘部材６を固定配置する。これにより、自動販売機の商品取出口から商品収容ケースを取り出す際に、商品収容ケースが商品取出口の手前で引っ掛かることなく商品収容ケースを円滑に商品取出口に排出できる。【選択図】図１
0003164114.tif 000002
【実用新案登録請求の範囲】
【請求項１】
自動販売機本体に設けられた硬貨投入口への規定額の硬貨の投入により商品を商品取出口に排出する自動販売機を用いて販売される商品を収納し、前記自動販売機本体の内部の商品収納室に多数収納される商品収容ケースにおいて、
ほぼ円筒形状を有し内部に前記商品を収容したケース本体と、
前記ケース本体の両側の開口をそれぞれ閉塞した蓋部材と、
前記両蓋部材により両側の開口が閉塞された状態の前記ケース本体内の所定位置に固定配置され前記ケース本体に予め定められた値以上の重量を付与する錘部材と
を備えた商品収容ケース。
【請求項２】
少なくとも一方の前記蓋部材が前記ケース本体に着脱自在に装着され、
前記錘部材が、着脱自在の一方の前記蓋部材または他方の前記蓋部材の少なくとも一方に固定配置されている請求項１に記載の商品収容ケース。
【請求項３】
着脱自在の一方の前記蓋部材が前記ケース本体の外周に外嵌めされる形状を有し、前記当該蓋部材の前記ケース本体の外周に対する外嵌め深さの調整により、ケース長を調整可能に形成されている請求項１または２に記載の商品収容ケース。
【考案の詳細な説明】
【技術分野】
【０００１】
この考案は、缶飲料やペットボトル飲料の自動販売機と同等構造の自動販売機を用いて販売される、小さなぬいぐるみなどの人形や腕時計といった商品を収容した商品収容ケースに関するものである。
【背景技術】
【０００２】
従来、缶飲料やペットボトル飲料の自動販売機として、例えば特許文献１に記載のものが知られており、例えば図５、図６に示すように構成されている。かかる自動販売機は、図５に示すように、前面が開口された箱形状有する自動販売機本体１０と、一端側が自動販売機本体１０の前面開口部の一端側に回転自在に支持され自動販売機本体１０の前面開口部を開閉自在に閉塞する外扉２０とを備える。
【０００３】
さらに、図６に示すように、自動販売機本体１０は内部を上下に仕切ることにより上部の商品収納室１１が設けられ、下部には機械室１２が設けられている。商品収納室１１は、上面側、背面側、底面側及び左右両側面側が断熱材１１ａによって囲まれている。商品収納室１１には、缶入り飲料またはペットボトル飲料等の商品を上下に積み重ねるようにして収納し、下端側から商品を一つずつ搬出するための商品収納コラム１１ｂが複数設けられている。また、商品収納室１１の下部には、各商品収納コラム１１ｂから落下搬出された商品を前方に案内するための傾斜板１１ｃが前方に向かって下り傾斜を成すように設けられている。傾斜板１１ｃの下方には、商品収納室１１を冷却するための冷却器１１ｄ及び冷却器用送風機１１ｅが設けられている。さらに、商品収納室１１の前面は、左右方向一端側が自動販売機本体１０に回転自在に支持された断熱性の内扉１３によって開閉されるようになっている。内扉１３の下部には、商品収納室１１側と外扉２０側とを連通する商品搬出口１３ａが左右方向に複数設けられ、各商品搬出口１３ａの上端側には商品搬出口１３ａを開閉するための搬出扉１３ｂが回転自在に支持されている。また、機械室１２内には、圧縮機１２ａ、凝縮器１２ｂ及び凝縮器用送風機１２ｃ等の冷凍機器が収納されている。
【０００４】
外扉２０には、図５、図６に示すように自動販売機本体１０内に収納される販売される缶飲料やペットボトル飲料のサンプルを展示するためのサンプル展示室２１、商品選択スイッチ２２、紙幣投入口２３、表示パネル２４、外扉開閉用のハンドル２５、硬貨返却口２６、商品取出口２７及び硬貨処理ユニット３０が設けられている。
【０００５】
硬貨処理ユニット３０は、互いに左右に配置されたユニバーサルデザイン仕様の硬貨投入部３１及び返却レバー３２とを有する。また、硬貨処理ユニット３０は、前端が外扉２０の前面に位置するように外扉２０に取り付けられており、硬貨投入部３１及び返却レバー３２が外扉２０の前面よりも前方に張り出すことなく背面側に位置している。更に、外扉２０には硬貨投入部３１が設けられ、この硬貨投入部３１の下方に位置する外扉２０の背面側には、硬貨投入部３１に投入された硬貨を真偽の判定及び種類の判別をして収納するための硬貨識別装置３３が設けられている。
【先行技術文献】
【特許文献】
【０００６】
【特許文献１】特開２００９−３６２７号公報（段落００１０〜００１２および図１、図２）
【考案の概要】
【考案が解決しようとする課題】
【０００７】
ところで、近年、上記したような飲料用の自動販売機１０が、飲料以外の商品、例えばぬいぐるみなどの人形、ペンダントや指輪などの装飾品、腕時計、懐中電灯といった商品の販売に転用されることがある。この場合、図５、図６に示す従来の飲料用自動販売機１０の中古品を入手できれば、自動販売機１０の機械室１２内の機器のほか、商品収納室１１内の機器が不要になるため、機械室１２内の圧縮機１２ａ、凝縮器１２ｂ及び凝縮器用送風機１２ｃ等の冷凍機器や、冷却器１１ｄ、および、商品収納室１１内の冷却器用送風機１１ｅを排除して使用される。さらに、断熱性の内扉１３、断熱材１１ａも不要になることから、メンテナンスが非常に簡便になる。そして、飲料の缶やペットボトルと同様の外形状を有する商品収納ケース内に人形などの商品を収容し、商品の販売に必要な硬貨投入額を規定額（例えば５００円）に設定し直して販売することになる。
【０００８】
しかし、これらの機械室１２および商品収納室１１内の機器以外の機能はそのまま転用されることから、飲料を商品搬出口１３ａに円滑に排出するためには、商品収容ケースを飲料とほぼ同じ重量に設定する必要があり、商品収容ケースの重量が不足していると、商品収容ケースが軽すぎて搬出扉１３ｂを円滑に回転させることができず、商品収容ケースが搬出扉１３ｂの手前で引っ掛かって商品収容ケースを商品搬出口１３ａから商品取出口２７に排出できなくなるという問題が生じる。
【０００９】
そこで、商品収容ケース内に商品と一緒に錘として簡易的にビー玉を収納しておくことが考えられるが、この場合、ビー玉が商品収容ケース内で自由に動くため、ビー玉によって商品が傷ついたり破損したりするおそれがあり、商品搬出口１３ａに排出された商品収容ケースを取り出しケースを開放してケース内部の商品を取り出そうとしたときに、ケース内部の商品だけでなくビー玉も一緒に散乱してしまうおそれもある。
【００１０】
この考案は、上記課題に鑑みなされたものであり、自動販売機の商品搬出口に円滑に排出でき、ケース内部の商品のみを簡単に取り出すことが可能な商品収容ケースを提供することを目的とする。
【課題を解決するための手段】
【００１１】
上記した課題を解決するために、本考案は、自動販売機本体に設けられた硬貨投入口への規定額の硬貨の投入により商品を商品取出口に排出する自動販売機を用いて販売される商品を収納し、前記自動販売機本体の内部の商品収納室に多数収納される商品収容ケースにおいて、ほぼ円筒形状を有し内部に前記商品を収容したケース本体と、前記ケース本体の両側の開口をそれぞれ閉塞した蓋部材と、前記両蓋部材により両側の開口が閉塞された状態の前記ケース本体内の所定位置に固定配置され前記ケース本体に予め定められた値以上の重量を付与する錘部材とを備えたことを特徴としている（請求項１）。
【００１２】
また、少なくとも一方の前記蓋部材が前記ケース本体に着脱自在に装着され、前記錘部材が、着脱自在の一方の前記蓋部材または他方の前記蓋部材の少なくとも一方に固定配置されているとしてもよい（請求項２）。
【００１３】
また、着脱自在の一方の前記蓋部材が前記ケース本体の外周に外嵌めされる形状を有し、前記当該蓋部材の前記ケース本体の外周に対する外嵌め深さの調整により、ケース長を調整可能に形成されていてもよい（請求項３）。
【考案の効果】
【００１４】
請求項１に記載の考案によれば、両開口を閉塞した状態のケース本体に錘部材を固定配置して所定値以上の重量をケース本体に付与したため、自動販売機の商品取出口に商品収容ケースを排出する際に、商品収容ケースが軽すぎるために引っ掛かるようなことがことなく、商品収容ケースを円滑に商品取出口に排出することができる。さらに、錘部材は固定配置されているため、ケースを開放してケース内部の商品を取り出す際に、従来のように錘部材が外部に散乱することもなくケース内部の商品のみを簡単に取り出すことができる。
【００１５】
また、請求項２に記載の考案によれば、着脱自在の一方の蓋部材に錘部材を固定配置したため、ケース内部に商品収容のための十分なスペースを確保することができ、大型の商品を収容することもできる。なお、小さい商品を収容する場合には、ケース内部で商品ががたつき難くなるように、空きスペースを緩衝部材などで埋めたり、商品自体を袋詰めにして袋ごとケース内部に収容するようにしてもよい。
【００１６】
このとき、請求項３のように、着脱自在に装着される一方の蓋部材のケース本体の外周に対する外嵌め深さを調整してケース長を調整できるため、中古品として入手した自動販売機内部の商品収納コラムに対して、缶飲料用とペットボトル飲料用など異なる種類の幅設定がなされている場合であっても、ケース長を可変することによって幅設定の異なるいずれの商品収納コラムにも商品収容ケースを簡単に収納することができる。
【図面の簡単な説明】
【００１７】
【図１】本考案に係る商品収容ケースの一実施形態の分解斜視図である。
【図２】一実施形態の分解状態の正面図である。
【図３】変形例の斜視図である。
【図４】他の変形例の斜視図である。
【図５】本考案の商品収容ケースが収納される自動販売機と同等の自動販売機の斜視図である。
【図６】図５に示す自動販売機の切断右側面図である。
【考案を実施するための形態】
【００１８】
本考案に係る商品収容ケースの一実施形態について、図１および図２を参照して詳細に説明する。ここで、図１は分解斜視図、図２は正面図である。
【００１９】
図１、図２に示すように、商品収容ケース１は、ポリ塩化ビニル（以下、ＰＶＣという）などの透明な樹脂材料を成形してなるケース本体２と、ケース本体２の一側の開口を閉塞したＰＶＣからなる蓋部材としての閉塞蓋３と、ケース本体２の他側の開口に開閉自在に装着されて該開口を閉塞したＰＶＣからなる蓋部材としての開閉蓋４とを備えている。なお、商品収容ケース１の材料はＰＶＣに限るものではないが、透明な材料を使用するのが好ましく、透明にすることにより、商品収容ケース１が自動販売機から排出されたときにケース内部が見えると、どのような商品が入っているか使用者は直ぐに判断し易くなる。また、商品収容ケース１の材料は０℃〜９０℃などの範囲での耐熱性を有する方が好ましい。
【００２０】
ケース本体２はＰＶＣを円筒状に樹脂成形することにより形成され、同じくＰＶＣからなりケース本体２の外形よりも若干大きい内径を有する短円筒状の有底の閉塞蓋３がケース本体２の一側の開口に対して接着剤や接着テープなどにより固着されて当該開口が閉塞されている。
【００２１】
そして、閉塞蓋３の内側に短い円柱状の鉄材が錘部材６として閉塞蓋３の内部に固着して設けられ、閉塞蓋３がケース本体２の一側の開口に対して固着されると同時に錘部材６がケース本体２の内部に接着剤等により固定配置されることになる。このとき、錘部材６は、缶飲料と同等の重量を商品収容ケース１に付与するものであり、商品収容ケース１が自動販売機１０の商品収納コラム１１ｂから傾斜板１１ｃを前方に向かって落下搬出される際に、商品収容ケース１が搬出扉１３ｂを前方に回転して開放可能な重量になるように設定されている。なお、錘部材６は薄い円板状の鉄板を複数枚貼り合わせて短い円柱状に成形したものを使用してもよい。
【００２２】
開閉蓋４は、閉塞蓋３と同様、ＰＶＣからなりケース本体２の外形よりも若干大きい内径を有する短円筒の有底形状を成し、ケース本体２の他側の開口に対して開閉蓋４が外嵌めされるようになっている。このとき、ケース本体２の外径は約６〜７ｃｍであり、例えば３５０ｍｌの缶飲料の缶とほぼ同程度に形成されている。さらに、図２に示すように、開閉蓋４のケース本体２に外嵌めする円筒状の外嵌部分４ａの長さＬは、ケース本体２に外嵌めしたときに最短で１９０ｍｌの缶飲料の缶、最長で３５０ｍｌの缶飲料の缶と同じ長さになるべく、外嵌め深さを可変調整できるような長さＬに設定されている。
【００２３】
そして、閉塞蓋３が固着されたケース本体２内に、例えばぬいぐるみなどの人形、ペンダントや指輪などの装飾品、腕時計、懐中電灯、プラモデルといった商品（図２では飛行機のプラモデルおもちゃを商品としている）７が収容されると、開閉蓋４がケース本体２の他側の開口に外嵌めされてケース本体２の開口がすべて閉塞され、開閉蓋４が容易に外れて開放しないように接着テープなどで簡易固定されて商品収容ケース１内への商品の収容が完了する。
【００２４】
このようにして複数種類の商品７が収容された商品収容ケース１が準備されると、図５、図６に示すような飲料用の自動販売機の中古品を転用した自動販売機１０の各商品収納コラム１１ｂに商品収容ケース１が収納される。このとき、自動販売機１０には飲料を販売する場合のように、商品選択スイッチ２２に対応した飲料サンプルを展示するためのサンプル展示室２１を設けず、商品選択スイッチ２２がどの商品に対応するのかわからないようにしておく。
【００２５】
すなわち、外扉２０の前面には、収納している商品７の種類を表示する表示パネルを設けるものの、商品７の種類ごとに複数個の商品選択スイッチ２２を対応させず、複数の商品収納コラムには複数種類の商品を収容した商品収容ケース１をランダムに収納する。そうすると、利用者は、いずれかの規定額（例えば５００円）の硬貨を硬貨投入部３１に投入していずれかの商品選択スイッチ２２を押しても、商品収容ケース１が排出されるまでどの商品が出てくるかわからずワクワク感が湧き、ゲーム感覚で商品を購入することができる。
【００２６】
このとき、利用者が規定額の硬貨を硬貨投入部３１に投入していずれかの商品選択スイッチ２２を押すことにより、そのスイッチに対応した商品収納コラム１１ｂの一番下部に収納されている商品収容ケース１が落下搬出されて傾斜板１１ｃを前方に向かってさらに下っていき、商品収容ケース１がその重量によって搬出扉１３ｂを前方に回転して開放し、商品収容ケース１が商品搬出口１３ａから商品取出口２７に排出されることになり、各商品収納コラム１１ｂの一番下部に位置する商品収容ケース１が優先的に排出されることになる。そのため、各商品収納コラム１１ｂには商品の種類に関係なくランダムに商品収容ケース１を収納し補充すればよいことになる。
【００２７】
ところで、商品収容ケース１には錘部材６を配置しているため、上記したように、商品収容ケース１が商品収納コラム１１ｂから傾斜板１１ｃを前方に向かって落下搬出されて搬出扉１３ｂに到達しても、商品収容ケース１が錘部材６による重量によって搬出扉１３ｂを引っ掛かることなく前方に回転して開放することができ、商品収容ケース１を商品搬出口１３ａから商品取出口２７に円滑に排出することができる。
【００２８】
また、閉塞蓋３に錘部材６を固定配置することにより、ケース内部に商品収容のための十分なスペースを確保することができて比較的大型の商品を収容することができ、多様な種類の商品を収容できる。
【００２９】
さらに、開閉蓋４のケース本体２の外周に対する外嵌め深さを調整してケース長を調整できるようにしたことにより、中古の自動販売機１０内部の商品収納コラム１１ｂに対して、長さの異なる複数の缶飲料用に幅設定がなされている場合であっても、ケース長を可変することができ、幅設定の異なるいずれの商品収納コラム１１ｂにも商品収容ケース１を簡単に収納できる。
【００３０】
したがって、上記した実施形態によれば、ケース本体２に錘部材６を固定配置して所定値以上の重量をケース本体に付与したため、自動販売機１０の商品取出口２７から商品収容ケースを取り出す際に、商品収容ケース１が商品取出口２７の手前で引っ掛かることなく商品収容ケース１を円滑に商品取出口２７に排出することができる。
【００３１】
さらに、錘部材６はケース内部に固定配置されているため、商品収容ケース１を開放してケース内部の商品を取り出す際に、従来のように錘部材６が外部に散乱することもなくケース内部の商品のみを簡単に取り出すことができる。
【００３２】
また、閉塞蓋３に錘部材６を固定配置したため、ケース内部に商品収容のための十分なスペースを確保することができ、大型の商品を収容することもできる。なお、錘部材６は閉塞蓋３ではなく、開閉蓋４の内側に固定配置してもよいのはいうまでもない。
【００３３】
さらに、開閉蓋４のケース本体２の外周に対する外嵌部分４ａの長さを調整してケース長を調整できるため、中古品として入手した自動販売機１０内部の商品収納コラム１１ｂに対して、長さの異なる複数の缶飲料用に幅設定がなされている場合であっても、ケース長を可変することによって幅設定の異なるいずれの商品収納コラム１１ｂにも商品収容ケースを簡単に収納することができる。
【００３４】
なお、本考案は上記した実施形態に限定されるものではなく、その趣旨を逸脱しない限りにおいて上述したもの以外に種々の変更を行うことが可能である。
【００３５】
具体的には、上記した錘部材６では鉄材を使用した場合について説明したが、粘土、耐熱強化ガラスやタイルなど、衝撃でも割れ難い材料のものを使用するのが望ましく、これらの材料から成る錘部材を閉塞蓋３または開閉蓋４の内側に固定配置するようにしてもよい。
【００３６】
また、錘部材の変形例として、図３に示すように、円筒状を成すケース本体２の内周の母線に沿う形状を有する鉄棒を、ケース本体２の内面に接着テープなどにより錘部材８として固定配置してもよい。
【００３７】
さらに、錘部材の他の変形例として、図４に示すように、鉄板を丸めて円筒状を成すケース本体２の内周に沿う円筒形状に成形し、成形した円筒形状の鉄板から成る錘部材９をケース本体２の内周面に接着剤により固定配置するようにしてもよい。
【００３８】
なお、開閉蓋４の長さＬは、５００ｍｌのペットボトルの長さに可変調整できるように設定しておいてもよい。そうすると、さらに大型の商品を収容することが可能になる。
【００３９】
また、上記した実施形態では、一側の開口を閉塞する蓋部材を閉塞蓋３として説明したが、この蓋３もケース本体２に開閉自在に装着されることにより一側の開口を閉塞するようにしても構わない。このようにすると、どちら側からでも商品収容ケース１を開放して商品７を取り出すことができる。このとき、開閉自在にした閉塞蓋３も開閉蓋４と同様にケース本体２に外嵌めする構成にし、かつ、ケース本体２の外周に対する外嵌部分の長さを調整可能にすれば、両蓋３，４のケース本体２の外周に対する外嵌部分の長さ調整によって、自動販売機１０内部の商品収納コラム１１ｂの幅に応じてより柔軟に対応することが可能になる。
【符号の説明】
【００４０】
１…    商品収容ケース
２…    ケース本体
３…    閉塞蓋（蓋部材）
４…    開閉蓋（蓋部材）
６，８，９…    錘部材
７…    商品
１０…    自動販売機
【図１】
0003164114.tif 000003
【図２】
0003164114.tif 000004
【図３】
0003164114.tif 000005
【図４】
0003164114.tif 000006
【図５】
0003164114.tif 000007
【図６】
0003164114.tif 000008